(57)【要約】【課題】  従来のマイク取付機構では、マイク本体部を収容するマイクホルダー等の防振構造が複雑になり、部品点数が増えて組立性が悪く、また、大型化する。【解決手段】  フレキシブル回路基板８は、上カバー４の内壁と板金５との間において、第１ゴム部材１２ａおよび第２ゴム部材１２ｂに挟まれて固定される。従って、マイク取付機構が設けられた機器筐体に振動が発生しても、フレキシブル回路基板８と上カバー４の内壁との間の第１ゴム部材１２ａ、およびフレキシブル回路基板８と板金５との間の第２ゴム部材１２ｂにより、機器筐体に発生した振動がフレキシブル回路基板８に実装されたマイク９へ伝達するのが抑制される。このため、マイク９に振動が伝わるのを防ぐ防振構造が簡単な構造で実現され、マイク取付機構の部品点数が少なくなって組立性が向上し、また、マイク取付機構が小型化する。【選択図】  図２
2013120970.tif 000002
【特許請求の範囲】
【請求項１】
マイクが実装された柔軟性を有する基板と、
前記基板を固定する第１の固定部材および第２の固定部材と、を備え、
前記基板は、前記基板と前記第１の固定部材との間、および前記基板と前記第２の固定部材との間に振動吸収部材が設けられることで、前記第１の固定部材と前記第２の固定部材との間に固定されることを特徴とするマイク取付機構。
【請求項２】
請求項１に記載のマイク取付機構において、
前記第１の固定部材はマイク取付機構が設けられる機器筐体の内壁であり、
前記第２の固定部材は前記機器筐体に取り付けられる金属製の板状部材であることを特徴とするマイク取付機構。
【請求項３】
請求項２に記載のマイク取付機構において、
前記マイクは、振動吸収部材を介して前記第２の固定部材に固定され、さらに集音用の開口部を有する振動吸収部材を介して前記第１の固定部材に固定されることを特徴とするマイク取付機構。
【請求項４】
請求項１に記載のマイク取付機構において、
前記第１の固定部材および前記第２の固定部材は、マイク取付機構が設けられる機器筐体からそれぞれ突出して設けられ、
前記第１の固定部材および前記第２の固定部材の周囲が振動吸収部材で覆われ、
前記基板は、前記振動吸収部材の間に挟まれることで固定されることを特徴とするマイク取付機構。
【請求項５】
請求項４に記載のマイク取付機構において、
前記マイクは、集音用の開口部を有する振動吸収部材を介して前記機器筐体の内壁に固定されることを特徴とするマイク取付機構。
【発明の詳細な説明】
【技術分野】
【０００１】
本発明は、マイクへの振動を吸収する振動吸収部材を備えるマイク取付機構に関する。
【背景技術】
【０００２】
従来、この種のマイク取付機構を備えたものとしては、例えば、特許文献１に開示された、ビデオカメラ本体に設けられたマイクロホン機構がある。
【０００３】
ビデオカメラ本体は、前面部のフロントキャビネットの内側にマイクホルダーが取り付けられている。マイクホルダーは、収容孔内にマイクユニットを収容している。マイクユニットの前側の外周面にはダンパー部材が一体成型され、ダンパー部材の外周端部には厚肉状のフランジ部が形成されている。マイクユニットは、ダンパー部材のフランジ部がフロントキャビネットとマイクホルダーとで強く挟み付けられて支持され、マイク本体部を保持するマイク保持体がダンパー部材に懸架された状態で保持される。従って、ビデオカメラ本体側からフロントキャビネットに伝わった振動は、ダンパー部材に効果的に吸収されて、マイク本体部の振動による影響が軽減される。
【先行技術文献】
【特許文献】
【０００４】
【特許文献１】特開平１０−２９４９８１号公報
【発明の概要】
【発明が解決しようとする課題】
【０００５】
しかしながら、上記従来のマイク取付機構では、ビデオカメラ本体側から発生した振動がマイク本体部に伝わるのを防ぐために、マイク本体部はマイクホルダー等の複数の部材に収容されて懸架されている。このため、上記従来のマイク取付機構は、マイク本体部を収容するマイクホルダー等の防振構造が複雑になり、部品点数が増えて組立性が悪く、また、大型化する。
【課題を解決するための手段】
【０００６】
本発明はこのような課題を解決するためになされたもので、
マイクが実装された柔軟性を有する基板と、
基板を固定する第１の固定部材および第２の固定部材と、を備え、
基板が、基板と第１の固定部材との間、および基板と第２の固定部材との間に振動吸収部材が設けられることで、第１の固定部材と第２の固定部材との間に固定されることを特徴とする。
【０００７】
この構成によれば、マイクが実装された基板は、第１の固定部材と第２の固定部材との間において、振動吸収部材に挟まれて固定される。従って、マイク取付機構が設けられた機器筐体に振動が発生しても、基板と第１の固定部材との間、および基板と第２の固定部材との間の振動吸収部材により、機器筐体に発生した振動が基板に実装されたマイクへ伝達するのが抑制される。つまり、基板と第１の固定部材との間、および基板と第２の固定部材との間に設けられた振動吸収部材により、マイクに振動が伝わるのを防ぐ防振構造が簡単な構造で実現される。
【発明の効果】
【０００８】
本発明によれば、従来のように、マイクに振動が伝わるのを防ぐために、マイクを収容するマイクホルダー等からなる複雑な防振構造を設ける必要はない。この結果、マイク取付機構の部品点数が少なくなる。したがって、組立性が向上し、また、マイク取付機構が小型化する。
【図面の簡単な説明】
【０００９】
【図１】本発明の一実施の形態によるマイク取付機構を備えたカメラの概略を示す側面図である。
【図２】図１に示すカメラの上カバーを下方から見た場合の、上カバーの一部底面図である。
【図３】図１に示すカメラの上カバーがカメラ本体に被された際の、上カバーおよびカメラ本体内の斜視図である。
【図４】（ａ）は、一実施の形態の変形例によるマイク取付機構が取り付けられた上カバーを下方から見た場合の、上カバーの一部底面図、（ｂ）は、上カバーの一部横断面図である。
【発明を実施するための形態】
【００１０】
次に、本発明によるマイク取付機構をカメラに適用した場合における、本発明を実施するための一形態について説明する。
【００１１】
図１は、この一実施形態によるマイク取付機構を備えたカメラ１の概略を示す側面図である。
【００１２】
カメラ１は、レンズ２とカメラ本体３と上カバー４とから構成される。上カバー４は、樹脂等により底の無い箱状に成型されている。上カバー４をカメラ本体３の上から被せることで、上カバー４内に取り付けられたマイク取付機構がカメラ本体３に設けられ、マイク取付機構を備えた機器筐体がカメラ本体３および上カバー４によって構成されて、カメラ１が製造される。
【００１３】
上カバー４の内部の天井部分には、板金５がネジ６により締め付けられて、上カバー４に取り付けられている。板金５は、金属製の板状部材がＬ字形に折り曲げられて構成されており、板金５の端部には、第２マイク支持ゴム１０を介して、フレキシブル回路基板８に実装されたマイク９が固定されている。マイク９は円筒形状をしており、不図示の音口が設けられている。このマイク９の音口とフレキシブル回路基板８に設けられた開口部８ａとが重なるように、マイク９はフレキシブル回路基板８に実装されている。また、フレキシブル回路基板８と上カバー４の内壁との間には、第１マイク支持ゴム７が設けられている。板金５、ネジ６、第１マイク支持ゴム７、フレキシブル回路基板８、および第２マイク支持ゴム１０は、マイク９をカメラ１の機器筐体に取り付けるマイク取付機構を構成する。
【００１４】
第１マイク支持ゴム７および第２マイク支持ゴム１０はマイク９と同じ直径をした円筒形状をしており、ゴム等の弾性材質からなる振動吸収部材を構成する。各支持ゴム７、１０の円筒両端面には、のりや両面テープ等の粘着層が設けられている。また、第１マイク支持ゴム７には、その円筒両端面を貫通する集音用の開口部７ａが設けられている。なお、本実施形態では、マイク９、並びに第１マイク支持ゴム７および第２マイク支持ゴム１０が円筒形状をしている場合について説明しているが、これらは円筒形状に限られるものではなく、例えば直方体状等をしていてもよい。第１マイク支持ゴム７は、上カバー４の前壁に設けられた開口部４ａと、フレキシブル回路基板８に設けられた開口部８ａとが重なるように、上カバー４の前壁とフレキシブル回路基板８との間に、粘着層により粘着されて固定されている。第２マイク支持ゴム１０は、フレキシブル回路基板８に実装されたマイク９と板金５との間に、粘着層により粘着されて固定されている。なお、第１、第２マイク支持ゴム７、１０自体を自己粘着性のあるゲル状の材質で構成し、固定するようにしてもよい。このようにマイク９は、第２マイク支持ゴム１０を介して板金５に固定され、さらに第１マイク支持ゴム７を介して上カバー４の内壁に固定されて、上カバー４に対する位置決めがなされている。これらの開口部４ａ、７ａ、および８ａにより、マイク９の集音部分である音口が密閉され、カメラ１の機器筐体内からの音がマイク９に入らないようになっている。
【００１５】
図２は、図１に示す上カバー４を下方から見た場合の、上カバー４の一部底面図である。なお、同図において図１と同一部分には同一符号を付してその説明は省略する。
【００１６】
板金５は、２カ所で垂直に折り曲げられた２つの取付片５ａを備えている。各取付片５ａには、上述したネジ６を通すための穴が設けられている。また、各取付片５ａには、円形状の穴５ｂ、および略楕円形状の穴５ｃが設けられている。上カバー４の天井部分に板金５を取り付ける際、上カバー４の天井部分から下方に突出した２つの突起部１１を各穴５ｂ、５ｃに通し、上述したようにネジ６で締め付けることで、板金５が上カバー４の天井部分に固定される。
【００１７】
フレキシブル回路基板８は、フレキシブル回路基板８と上カバー４の内壁との間に第１ゴム部材１２ａ、フレキシブル回路基板８と板金５との間に第２ゴム部材１２ｂが設けられることで、上カバー４の内壁と板金５との間に固定されている。各２個の第１ゴム部材１２ａおよび第２ゴム部材１２ｂは直方体の形状をしており、ゴム等の弾性材質からなる振動吸収部材を構成する。各ゴム部材１２ａ、１２ｂの両端面には、上述した第１マイク支持ゴム７および第２マイク支持ゴム１０と同様に粘着層が設けられている。第１ゴム部材１２ａは、カメラ１の前方つまりレンズ２側の上カバー４の内壁面とフレキシブル回路基板８との間に、粘着層により粘着して２箇所で固定され、第２ゴム部材１２ｂは、フレキシブル回路基板８と板金５との間に粘着層により粘着して２箇所で固定されている。マイク取付機構が設けられる機器筐体である上カバー４の内壁およびこの機器筐体に取り付けられる板金５は、フレキシブル回路基板８を固定する第１の固定部材および第２の固定部材を構成する。
【００１８】
図３は、図１に示す上カバー４がカメラ本体３に被された際の、上カバー４およびカメラ本体３内の斜視図である。なお、同図において図２と同一部分には同一符号を付してその説明は省略する。
【００１９】
回路基板２１は、カメラ本体３に固定されており、制御部等の種々の回路やコネクター２１ａが設けられている。フレキシブル回路基板８の各ゴム部材１２ａ、１２ｂで挟持された２箇所の中央部分は、同図に示すように、カメラ本体３の内部に延出した延出部８ａを備えている。この延出部８ａは、カメラ本体３の内部を引き回されたその先端が、回路基板２１ａに設けられたコネクター２１ａに差し込まれることで、フレキシブル回路基板８と回路基板２１ａとが電気的に接続される。
【００２０】
このような本実施形態によるマイク取付機構によれば、フレキシブル回路基板８は、上カバー４の内壁と板金５との間において、第１ゴム部材１２ａおよび第２ゴム部材１２ｂに挟まれて固定される。従って、マイク取付機構が設けられた機器筐体に振動が発生しても、フレキシブル回路基板８と上カバー４の内壁との間の第１ゴム部材１２ａ、およびフレキシブル回路基板８と板金５との間の第２ゴム部材１２ｂにより、機器筐体に発生した振動がフレキシブル回路基板８に実装されたマイク９へ伝達するのが抑制される。つまり、フレキシブル回路基板８と上カバー４の内壁との間、およびフレキシブル回路基板８と板金５との間に設けられた第１ゴム部材１２ａおよび第２ゴム部材１２ｂにより、マイク９に振動が伝わるのを防ぐ防振構造が簡単な構造で実現される。このため、従来のように、マイク９に発生する振動を防ぐために、マイク９を収容するマイクホルダー等からなる複雑な防振構造を設ける必要はない。この結果、マイク取付機構の部品点数が少なくなる。したがって、組立性が向上し、また、マイク取付機構が小型化する。
【００２１】
また、本実施形態によるマイク取付機構によれば、マイク９は、上カバー４の内壁と上カバー４に取り付けられる板金５との間において、第１マイク支持ゴム７および第２マイク支持ゴム１０に挟持されて固定される。このため、機器筐体に発生した振動がマイク９に伝達され難い状態で、柔軟性を有するフレキシブル回路基板８に実装されたマイク９が保持され、フレキシブル回路基板８と共にマイク９が揺れるのが防止される。また、マイク９が、集音用の開口部７ａを有する第１マイク支持ゴム７を介して上カバー４の内壁に固定されるので、マイク９の密閉性に優れ、マイク９の集音音質が向上する。
【００２２】
また、フレキシブル回路基板８は、マイク９とフレキシブル回路基板８の延出部８ａとの間で、第１ゴム部材１２ａおよび第２ゴム部材１２ｂによって挟持されている。従って、カメラ本体３に振動が発生し、カメラ本体３内に延出して設けられたフレキシブル回路基板８の延出部８ａに、カメラ本体３に内蔵された部品と接触することで振動が伝わっても、この延出部８ａとマイク９との間にある第１ゴム部材１２ａおよび第２ゴム部材１２ｂにより、マイク９が実装された部分のフレキシブル回路基板８へ伝わる振動が吸収されるので、マイク９の振動は低減されて、マイク９の音質が向上する。
【００２３】
図４（ａ）は、上述した一実施の形態の変形例によるマイク取付機構が取り付けられた上カバー４を下方から見た場合の、上カバー４の一部底面図、同図（ｂ）は、上カバー４の一部横断面図である。なお、同図において図２と同一または相当する部分には同一符号を付してその説明は省略する。
【００２４】
上記実施形態のマイク取付機構では、フレキシブル回路基板８を固定する第１の固定部材および第２の固定部材が、上カバー４の内壁および板金５により設けられる構成であったが、本変形例では、第１突出部３１ａによりフレキシブル回路基板８を固定する第１の固定部材、第２突出部３１ｂによりフレキシブル回路基板８を固定する第２の固定部材が構成される。また、第１実施形態のマイク取付機構では、第１マイク支持ゴム７および第２マイク支持ゴム１０によりマイク９が固定される構成であったが、本変形例では、１つの第１マイク支持ゴム７によりマイク９が固定される。
【００２５】
第１の固定部材を構成する第１突出部３１ａおよび第２の固定部材を構成する第２突出部３１ｂは、マイク取付機構が設けられる機器筐体を構成する上カバー４の天井部分に、それぞれ柱状に突出して２組みが一体成型して設けられている。第１突出部３１ａおよび第２突出部３１ｂの各間は所定間隔離れて設けられている。また、第１突出部３１ａおよび第２突出部３１ｂの各周囲は、振動吸収部材を構成するゴム等の弾性材質からなる第１ゴムキャップ３２ａおよび第２ゴムキャップ３２ｂで覆われている。フレキシブル回路基板８は、第１ゴムキャップ３２ａおよび第２ゴムキャップ３２ｂの間に挟まれることで、２箇所で挟持されている。
【００２６】
同図（ｂ）に示すように、第１ゴムキャップ３２ａの周囲は突出した形状をしており、第２ゴムキャップ３２ｂの周囲は窪んだ形状をしている。従って、第１ゴムキャップ３２ａおよび第２ゴムキャップ３２ｂの間に挟まれたフレキシブル回路基板８は、容易に外れない構成となっている。
【００２７】
また、フレキシブル回路基板８に実装されたマイク９は、集音用の開口部７ａを有する振動吸収部材を構成する上述した第１マイク支持ゴム７を介して、上カバー４の内壁に固定されている。
【００２８】
このような本変形例によるマイク取付機構によれば、上カバー４の内壁からそれぞれ突出して設けられた第１突出部３１ａおよび第２突出部３１ｂの周囲を覆う第１ゴムキャップ３２ａおよび第２ゴムキャップ３２ｂに挟まれて、フレキシブル回路基板８が固定される。このため、上カバー４に取り付けられる上記実施形態の板金５のような別部品を備えることなく、極めて簡単な構造でフレキシブル回路基板８が固定される。この結果、マイク取付機構の製作費用がより安価になると共に、組立性がさらに向上し、大きさもさらに小型化する。
【００２９】
また、本変形例によるマイク取付機構によれば、マイク９は、集音用の開口部７ａを有する第１マイク支持ゴム７を介して上カバー４の内壁に固定される。このため、本変形例においても、機器筐体に発生した振動がマイク９に伝達され難い状態で、柔軟性を有するフレキシブル回路基板８に実装されたマイク９が保持され、フレキシブル回路基板８と共にマイク９が揺れるのが防止される。また、マイク９が、集音用の開口部７ａを有する第１マイク支持ゴム７を介して上カバー４の内壁に固定されるので、マイク９の密閉性に優れ、マイク９の集音音質が向上する。
【産業上の利用可能性】
【００３０】
本実施形態では、マイク取付機構をカメラに設ける構成であったが、ボイスレコーダ等のマイクを備えた他の電子機器に、本発明のマイク取付機構を設けるようにしてもよい。このような構成によっても、上述した実施形態と同様な作用・効果が奏される。
【符号の説明】
【００３１】
１…カメラ
３…カメラ本体
４…上カバー
５…板金
７…第１マイク支持ゴム
７ａ…開口部
８…フレキシブル回路基板
９…マイク
１０…第２マイク支持ゴム
１２ａ…第１ゴム部材
１２ｂ…第２ゴム部材
３１ａ…第１突出部
３１ｂ…第２突出部
３２ａ…第１ゴムキャップ
３２ｂ…第２ゴムキャップ
【図１】
2013120970.tif 000003
【図２】
2013120970.tif 000004
【図３】
2013120970.tif 000005
【図４】
2013120970.tif 000006